(57)【要約】【課題】本発明の課題は、ジャム処理を容易に行うことができる自動原稿搬送装置を得ることである。【解決手段】原稿がセットされる原稿テーブル２と、原稿テーブル２にセットされた原稿を一枚ずつ分離して、原稿の画像情報が読み取られる読取位置に向けて給送する分離給送部３０と、原稿テーブル２の下方に位置し、読取位置にて画像情報を読み取られた原稿が排紙される排紙テーブル１５ａと、原稿テーブル２を回動自在に支持する支持部材４１とを備え、原稿テーブル２は、原稿がセットされる基準位置と、この基準位置よりも原稿テーブル２と排紙テーブル１５ａとがなす開き角度が大きくなるように回動した回動位置との間を回動する自動原稿搬送装置１において、原稿テーブル２を回動位置に保持する保持部７０を備えている。【選択図】図５
2008195511.tif 000002
【特許請求の範囲】
【請求項１】
原稿がセットされる原稿載置台と、原稿載置台にセットされた原稿を一枚ずつ分離して、原稿の画像情報が読み取られる読取位置に向けて給送する分離給送部と、原稿載置台の下方に位置し、読取位置にて画像情報を読み取られた原稿が排紙される排紙台と、原稿載置台を回動自在に支持する支持部材とを備え、原稿載置台は、原稿がセットされる基準位置と、この基準位置よりも原稿載置台と排紙台とがなす開き角度が大きくなるように回動した回動位置との間を回動する自動原稿搬送装置において、
原稿載置台を回動位置に保持する保持部を備えていることを特徴とする自動原稿搬送装置。
【請求項２】
保持部は、原稿載置台を複数の開き角度で段階的に保持することを特徴とする請求項１に記載の自動原稿搬送装置。
【請求項３】
保持部は、原稿載置台および支持部材の何れか一方に設けられた嵌合孔と、原稿載置台および支持部材の何れか他方に設けられ、嵌合孔に嵌合する嵌合部材とを備えていることを特徴とする請求項１又は２に記載の自動原稿搬送装置。
【請求項４】
原稿載置台には、この原稿載置台が回動位置にあるときに、排紙台の表面に当接して、原稿載置台を支える支え部が形成されていることを特徴とする請求項１乃至３の何れか１項に記載の自動原稿搬送装置。
【請求項５】
回転自在なつまみと、このつまみの回転に連動して、原稿載置台と排紙台との間にある原稿を送り出す送出部とを備え、
つまみは、このつまみの回転中心からラジアル方向に延びると共に、互いに間隔をあけた突起が設けられていることを特徴とする請求項１乃至４の何れか１項に記載の自動原稿搬送装置。
【請求項６】
つまみは、左右何れの方向にも回転自在に設けられ、送出部は、つまみの回転方向に応じて、原稿を原稿載置台又は排紙台の何れかに向けて送り出すことを特徴とする請求項５に記載の自動原稿搬送装置。
【発明の詳細な説明】
【技術分野】
【０００１】
本発明は、原稿載置台に載置された原稿を一枚ずつ分離して給紙する自動原稿搬送装置に関する。
【背景技術】
【０００２】
一般に、複写機等の画像形成装置においては、その上部に、原稿載置台にセットされた原稿を読取部に搬送してその原稿情報を読取らせた後に、原稿載置台の下方にある排紙台に排紙する自動原稿搬送装置が設けられている。
【０００３】
このような自動原稿搬送装置においては、原稿載置台から排紙台までの間に形成されている原稿の搬送路に原稿が詰まったときは、原稿載置台を上方に回動させて、原稿載置台と排紙台との間を大きく開ける事により、搬送路内で詰まった原稿を取り除くジャム処理を行い易くする事が知られている（例えば、特許文献１参照）。
【０００４】
【特許文献１】特開２００５−１７０６３７号公報
【発明の開示】
【発明が解決しようとする課題】
【０００５】
しかしながら、上記従来技術においては、原稿載置台を上方に回動させて原稿載置台と排紙台との間を大きく開けた際に、この原稿載置台を手で押さえる等しないと、原稿載置台が自重により下方の元の位置に復帰して、原稿載置台と排紙台との間を狭めてしまい、詰まった原稿を取り出すジャム処理がやり難いという問題がある。
【０００６】
本発明は、ジャム処理を容易に行う事ができる自動原稿搬送装置を得る事を目的とする。
【課題を解決するための手段】
【０００７】
前記課題を解決する為に、請求項１に記載された発明は、原稿がセットされる原稿載置台と、原稿載置台にセットされた原稿を一枚ずつ分離して、原稿の画像情報が読取られる読取位置に向けて給送する分離給送部と、原稿載置台の下方に位置し、読取位置にて画像情報を読取られた原稿が排紙される排紙台と、原稿載置台を回動自在に支持する支持部材とを備え、原稿載置台は、原稿がセットされる基準位置と、この基準位置よりも原稿載置台と排紙台とがなす開き角度が大きくなるように回動した回動位置との間を回動する自動原稿搬送装置において、原稿載置台を回動位置に保持する保持部を備えている事を特徴とする。
【０００８】
請求項２に記載された発明は、請求項１に記載された発明において、保持部は、原稿載置台を複数の開き角度で段階的に保持する事を特徴とする。
【０００９】
請求項３に記載された発明は、請求項１又は２に記載された発明において、保持部は、原稿載置台及び支持部材の何れか一方に設けられた嵌合孔と、原稿載置台及び支持部材の何れか他方に設けられ、嵌合孔に嵌合する嵌合部材とを備えている事を特徴とする。
【００１０】
請求項４に記載された発明は、請求項１乃至３の何れか１項に記載された発明において、原稿載置台には、この原稿載置台が回動位置にあるときに、排紙台の表面に当接して、原稿載置台を支える支え部が形成されている事を特徴とする。
【００１１】
請求項５に記載された発明は、請求項１乃至４の何れか１項に記載された発明において、回転自在なつまみと、このつまみの回転に連動して、原稿載置台と排紙台との間にある原稿を送り出す送出部とを備え、つまみは、このつまみの回転中心からラジアル方向に延びると共に、互いに間隔を開けた突起が設けられている事を特徴とする。
【００１２】
請求項６に記載された発明は、請求項５に記載された発明において、つまみは、左右何れの方向にも回転自在に設けられ、送出部は、つまみの回転方向に応じて、原稿を原稿載置台又は排紙台の何れかに向けて送り出す事を特徴とする。
【発明の効果】
【００１３】
本発明によれば、保持部が回動位置にある原稿載置台をその位置に保持するので、原稿載置台が自重により基準位置に戻らないように手で押さえる必要がないため、ジャム処理を容易に行う事ができる。
【発明を実施するための最良の形態】
【００１４】
以下、添付図面を参照して、本発明の実施の形態を詳細に説明する。図１は本発明の実施の形態に係る自動原稿搬送装置を概略的に示す構成図である。図１に示す自動原稿搬送装置１は、小型（Ａ４対応）複写機等の画像形成装置の上部に設けられている。
【００１５】
自動原稿搬送装置１は、複数枚の原稿がその第１画像面を上向きにして積み重ねられてセットされる原稿テーブル（原稿載置台）２を有する原稿テーブルユニット２９を備えており、原稿テーブル２上に第１画像面を上向きにして積み重ねられた原稿Ｐは、図示しない画像形成装置本体からの信号により最上位の原稿Ｐから１枚ずつ順に給紙されるようになっている。
【００１６】
原稿テーブル２に載置された原稿Ｐの先端は、分離ローラ５に突き当たる事により位置決めされている。この分離ローラ５に突き当てられた原稿Ｐは呼出しローラ３によって給紙ローラ４及び上述の分離ローラ５を有する分離給送部３０へ呼び出されて最上位の原稿Ｐから１枚ずつ分離されて給送される。尚、原稿Ｐの読取に際し、いわゆる片面読取りにするのか、或いは両面読取りにするのかは、図示しない操作部への操作により使用者が設定する事ができるようになっている。
【００１７】
分離給送部３０にて分離された原稿Ｐは、第１駆動ローラ６及び第１従動ローラ６ａを有する給送経路３１へ給送され、その後、読取り前駆動ローラ７及び読取り前従動ローラ７ａを有する第１搬送経路３３に搬送される。また、図１において、符号８はレジストセンサであり、このレジストセンサ８が原稿先端を検知する事により、画像形成装置本体の読取り部（読取位置）９への原稿先端通過と画像読取り開始とのタイミングを合わせるようになっている。尚、原稿給送後、一定時間経過しても原稿先端がレジストセンサ８に到達しない場合、ジャムと判断される。
【００１８】
第１画像面のみの読取り(片面モード)の場合は、原稿Ｐは読取り部９にて画像情報を読取られた後、読取り後駆動ローラ１１及び読取り後従動ローラ１１ａを有する第２搬送経路３５を通り、原稿テーブル２の下方にある排紙部１５の排紙テーブル（排紙台）１５ａへ排出される。また、図１中、符号１０は排紙センサであり、原稿Ｐの読取り後、一定時間経過しても原稿先端が排紙センサ１０に到達しない場合、或いは読取後の一定時間経過しても原稿後端が排紙センサ１０を通過しない場合ジャムと判断される。また、符号１２は、第２搬送経路３５の原稿Ｐの搬送先を、第３搬送経路３７又は排紙テーブル１５ａの何れかに切り替える切替爪で、通常は実線で示す位置に保持されて、原稿Ｐを排紙テーブル１５ａに向けて案内している。
【００１９】
一方、第１画像面及び第２画像面読取り(両面モード)の場合は、第１画像面読取り後の原稿Ｐは、第２搬送経路３５を通り排紙センサ１０に原稿先端が到達したのを検知して、或いはレジストセンサ８の検知時からのタイミングにより切替爪１２が図示していないソレノイドにより波線で示す位置に下降し、反転駆動ローラ１３及び反転従動ローラ１３ａを有する第３搬送経路３７を通るようになっている。
【００２０】
切替爪１２は原稿後端が排紙センサ１０を通過してからの一定時間(原稿後端が排紙ローラ１１を通過し切替爪１２上に達するまでの時間)経過した後、上述のソレノイドが解除される事により実線の位置に復帰する。切替爪１２の復帰後、反転駆動ローラ１３が逆転し、原稿先端は排紙駆動ローラ１１と排紙上従動ローラ１１ｂとのニップ部に進入する。そして、原稿Ｐは、排紙駆動ローラ１１及び排紙上従動ローラ１１ｂを有する第４搬送経路３６及び第１搬送経路３３を通り、読取り部９にて第２画像面の画像情報を読取られる。
【００２１】
ここで、第２画像面読取り後の原稿Ｐを、第２搬送経路３５を経てこのままの状態で排紙テーブル１５ａへ排紙すると、第２画像面が下向きでスタックされ原稿Ｐのページ順狂いが生じる。このため、第１画像面が下向きでスタックされるよう、原稿Ｐが第２搬送経路３５を通過しているときに、切替爪１２を波線の位置に下降させて、第２搬送経路３５の原稿Ｐを第３搬送経路３７に搬送した後、切替爪１２を実線の位置に復帰させて、原稿Ｐを第４搬送経路３６、第１搬送経路３３、第２搬送経路３５の順に通過させた後に、排紙テーブル１５に排紙させるようになっている。
【００２２】
次に、原稿テーブルユニット２９について説明する。尚、図２は本実施の形態に係る原稿テーブルユニットを示す斜視図であり、図３は回動位置にある原稿テーブルユニットを示す斜視図であり、図４は図２の原稿テーブルを示す斜視図であり、図５は図２の原稿テーブルに設けられた支え部を説明するための斜視図であり、図６は本実施の形態に係る嵌合ロッドを拡大して示す斜視図である。
【００２３】
原稿テーブルユニット２９は、上述の原稿テーブル２と、原稿テーブル２を矢印Ａ及びＢ方向に回動自在に支持する一対の支持部材４１、４１とを備えており、原稿テーブル２は、原稿Ｐがセットされる基準位置（図１及び図２に示す位置）と、この基準位置から矢印Ａ方向に回動して、基準位置よりも原稿テーブル２と排紙テーブル１５ａとがなす開き角度（以後、単に「開き角度」という。）が大きくなるように回動した回動位置（図３及び図５に示す位置）との間を回動するようになっている。
【００２４】
本実施の形態では、基準位置にある原稿テーブル２は、図１及び図２に示すように略水平に位置しており、排紙テーブル１５ａに対して略平行な位置関係にある。一方、回動位置にある原稿テーブル２は、図３に示すように、略鉛直に位置しており、排紙テーブル１５ａに対して略９０度の開き角度になるように位置している。
【００２５】
原稿テーブル２は、原稿Ｐが載置される載置板４３と、載置板４３の両端から上方に向けて延びる側板４５、４５と、これらの側板４５、４５の間に設けられ、載置板４３上の原稿Ｐの両端を規制するサイドフェンス４７とを有している。
【００２６】
図４に示すように、側板４５、４５は、載置板４３の基端から先端に向けて延びると共に、載置板４３の基端から先端に向かうにつれて次第にその高さが低くなるように形成されている。これらの側板４５、４５のうち、一方の側板４５（図４における左側の側板４５）は、載置板４３に沿う底辺４５ａと、載置板４３から垂直上方に延びる垂直辺４５ｂと、垂直辺４５ｂの頂点と底辺４５ａとを結ぶ斜辺４５ｃとで略三角形状に形成されている。一方の側板４５における底辺４５ａと垂直辺４５ｂとの間の角部４５ｄは、図５に示すように、原稿テーブル２が回動位置にあるときに、排紙テーブル１５ａの表面に当接して、回動位置の原稿テーブル２を支える支え部とされている。
【００２７】
一方の側板４５の外側面、及び他方の側板４５（図４では右側の側板４５）の内側面にはそれぞれ、互いに同心の回転軸４７、４９が側板４５に対して垂直に突出している。また、一方の側板４５には、原稿テーブル２が基準位置にあるときに後述する嵌合ロッド（嵌合部材）５９と嵌合する嵌合孔５１と、原稿テーブル２が回動位置にあるときに嵌合ロッド５９と嵌合する嵌合孔５３とが形成されている。
【００２８】
図２及び図３に示すように、一対の支持部材４１、４１はそれぞれ、原稿テーブル２の側板４５、４５の外側でかつ側板４５、４５に平行な位置に配置されており、一対の支持部材４１、４１にはそれぞれ、原稿テーブル２の回転軸４７、４９がそれぞれ挿通されて支持された支持孔５５、５７が形成されている。また、一対の支持部材４１、４１のうち、一方の支持部材４１(図２及び図３において左側の支持部材４１)において、支持孔５７の近傍には、原稿テーブル２の嵌合孔５１、５３と嵌合する嵌合ロッド５９が設けられている。
【００２９】
嵌合ロッド５９は、図６に示すように、嵌合孔５１、５３に嵌合すると共に、先端部が先細りのテーパー状に形成された嵌合部５９ａと、嵌合部５９ａと一体的に形成された円柱状の本体部５９ｂと、この本体部５９ｂと嵌合部５９との間に形成されたリング状の鍔部５９ｃとを有している。また、図２及び図３に示すように、一方の支持部材４１には、互いに平行に対面して配置された突き当て板４１ａ、４１ｂが形成されており、突き当て板４５ａには嵌合ロッド５９の嵌合部５９ａが挿通された挿通孔（図示せず）が形成され、突き当て板４５ｂには嵌合ロッド５９の本体部５９ｂの後端部が挿通された挿通孔４１ｃが形成されている。
【００３０】
また、嵌合ロッド５９の鍔部５９ｃと突き当て板４１ｂとの間には、嵌合ロッド５９を原稿テーブル２の一方の側板４５に向けて付勢するスプリング６１が設けられている。このスプリング６１の付勢力により、嵌合ロッド５９の鍔部５９ｃにおける先端側の面は、突き当て板４１ａに押し付けられ、嵌合ロッド５９の嵌合部５９ａが突き当て板４１ａの挿通孔を介して、原稿テーブル２の一方の側板４５に向けて突き出すようになっている。これにより、嵌合ロッド５９の嵌合部５９ａが、一方の側板４５の嵌合孔５１、５３の何れかに嵌合するようになっている。
【００３１】
すなわち、図２に示すように、原稿テーブル２が基準位置にあるときにおいては、嵌合ロッド５９の嵌合部５９ａが原稿テーブル２の嵌合孔５３に嵌合して、原稿テーブル２を基準位置から動かないように保持している。一方、図３及び図５に示すように、原稿テーブル２が回動位置にあるときにおいては、嵌合ロッド５９の嵌合部５９ａが原稿テーブル２の嵌合孔５１に嵌合して、原稿テーブル２を回動位置から動かないように保持している。このように、本実施の形態では、嵌合ロッド５９、各嵌合孔５１、５３、スプリング６１及び一対の突き当て板４１ａ、４１ｂにより、原稿テーブル２を回動位置に保持する保持部７０を構成している。
【００３２】
上述した構成により、原稿自動搬送装置１において、第３搬送経路３７にジャム（紙詰まり）が発生したとき、図２に示す基準位置にある原稿テーブル２を矢印Ａ方向に回動して、図３に示す回動位置まで回動させると、図５に示すように、原稿テーブル２の嵌合孔５１に嵌合ロッド５９の嵌合部５９ａが嵌合して、原稿テーブル２を回動位置から動かないように保持する事ができる。その結果、原稿テーブル２を回動位置まで回動させて、原稿テーブル２と排紙テーブル１５ａの間を大きく開けて、第３搬送経路３７で詰まった原稿Ｐを取り除く作業をする際に、原稿テーブル２が自重により基準位置に戻らないように片手で押さえる必要がないため、ジャム処理を容易に行う事ができる。
【００３３】
また、原稿テーブル２が回動位置にあるとき、原稿テーブル２の一方の側板４５の角部４５ｄが排紙テーブル１５ａの表面に当接して原稿テーブル２を支えて、嵌合ロッド５９とともに、原稿テーブル２を回動位置に保持するので、原稿テーブル２の保持力が向上して、回動位置にある原稿テーブル２のぐらつき等を防止する事ができる。
【００３４】
更に、原稿テーブル２が基準位置にあるときには、嵌合ロッド５９の嵌合部５９ａは、図２に示すように、嵌合孔５３に嵌合して、基準位置にある原稿テーブル２を保持するので、基準位置にある原稿テーブル２のぐらつき等を防止する事ができる。
【００３５】
図７は本実施の形態に係る自動原稿搬送装置のジャム処理機構を概略的に示す図であり、図８は図７のジャム処理機構を駆動させるためのつまみを拡大して示す図である。図７に示すように、ジャム処理機構（送出部）６５は、第１搬送路３３の近傍に設けられた歯付プーリ６７と、排紙テーブル１５ａの基端部の近傍に設けられた歯付プーリ６９と、これらのプーリ６７、６９の間でかつ第２搬送経路３５及び第４搬送経路３６の間に設けられた歯付プーリ７１と、これらのプーリ６７、６９、７１に掛け渡されたタイミングベルト７３と、プーリ６７の回転軸の先端に設けられたつまみ７５（図８参照）とを有している。使用者がつまみ７５を左右に回す事により、タイミングベルト７３が左右に回転駆動して、つまみ７５の回転方向に応じて、搬送路３３、３５、３７内の原稿Ｐを原稿テーブル２又は排紙テーブル１５ａの何れかに向けて送り出すようになっている。
【００３６】
本実施の形態では、プーリ６７、６９、７１に掛け渡されたタイミングベルト７３の外周面のうち、プーリ６７に掛け渡されている部分は、第１搬送路３３内に突出しており、タイミングベルト７３が回転駆動する事により、このタイミングベルト７３の外周面が第１搬送路３３内の原稿Ｐを原稿テーブル２又は排紙テーブル１５ａの何れかに向けて送り出すようになっている。具体的には、つまみ７５を右に回すと、第１搬送路３３内の原稿Ｐを原稿テーブル２に向けて送り出し、つまみ７５を左に回すと、第１搬送路３３内の原稿Ｐを第２搬送路３５を介して、排紙テーブル１５ａに向けて送り出すようになっている。
【００３７】
同様に、タイミングベルト７３の外周面のうち、プーリ７１に掛け渡されている部分は、第２搬送路３５及び第４搬送路３７内に突出しており、これらの搬送路３５、３７内の原稿Ｐを原稿テーブル２又は排紙テーブル１５ａに向けて送り出すようになっている。具体的には、つまみ７５を右に回すと、第２搬送路３５の原稿Ｐは第１搬送路３３を介して原稿テーブル２に向けて送り出され、第４搬送路３７の原稿Ｐは排紙駆動ローラ１１と排紙上従動ローラ１１ｂとのニップ部を介して排紙テーブル１５ａに向けて送り出される。また、つまみ７５を左に回すと、第２搬送路３５の原稿Ｐは読取り後駆動ローラ１１と読取り後従動ローラ１１ａとのニップ部を介して排紙テーブル１５ａに向けて送り出され、第４搬送路３７の原稿Ｐは第１搬送路３３に向けて送り出されるようになっている。
【００３８】
このように、つまみ７５の回転方向に応じて、原稿Ｐを任意の方向に送り出す事ができるので、ジャム処理用の開口部を比較的少なくする事ができ、コストの低減を図る事ができる。特に、本実施の形態のように装置類の配置スペースが比較的足りない小サイズの自動原稿搬送装置１においてはその効果は大きい。
【００３９】
つまみ７５は、図８に示すように、このつまみ７５の回転中心からラジアル方向に延びると共に、互いに間隔を開けた突起７５ａが設けられている。これらの突起７５ａはそれぞれ、互いに同じ間隔を開けて形成されており、各突起７５ａ間の間隔は、使用者の指が入る程度に設定されている。これにより、使用者がつまみ７５を回す際に、各突起７５ａの間に指を置いて回す事ができ、つまみ７５を容易に操作する事ができる。
【００４０】
また、プーリ６７、６９、７１はそれぞれ、回転軸を中心に回転可能に設けられており、プーリ６７、６９、７１の外周面にはそれぞれ、この外周面を一周するようにタイミングベルト７３と歯合する歯が形成されている。本実施の形態では、プーリ６７の歯数は、他のプーリ６９、７１よりも多く形成されている。
【００４１】
具体的には、プーリ６７の歯数とプーリ６９の歯数の比が２：１に、プーリ６７の歯数とプーリ７１の端数との比が２：１になるような歯数になるように設定されており、減速比を大きくするようにしている。これにより、つまみ７５を比較的小さな力で回転させる事ができ、子供、年寄りといった使用者に左右されず、つまみ７５を容易に回転する事ができる。尚、プーリ６７、６９、７１の歯数は、上述の数値に限定されず、適宜変更可能である事は言うまでも無い。
【００４２】
本発明は、上述した実施の形態に限定されず、その用紙を逸脱しない範囲内において、種々の変形が可能である。
【００４３】
例えば、上述の実施の形態では、原稿テーブル２の一方の側板４５に、２つの嵌合孔５１、５３を形成したが、これに限定されず、３つ以上の複数個所に設けて、原稿テーブル２を複数の開き角度（回動位置）に段階的に保持するようにしても良い。この具体例を挙げると図９に示すとおりである。尚、図９においては、上述の実施の形態と同様な構成要素には同一の符号を付して、その説明を簡略化するものとする。
【００４４】
図９に示すように、嵌合孔５１、５３との間に嵌合孔５４が形成されており、原稿テーブル２は嵌合ロッド５９の嵌合部５９ａが嵌合孔５３、５４の二箇所にそれぞれ嵌合する事により、原稿テーブル２を２つの開き角度（２つの回動位置）で保持されるようになっている。この図９に示す例では、原稿テーブル２と排紙テーブル１５ａとのなす開き角度が略４５度の位置にまで原稿テーブル２が回動したときに、嵌合ロッド５９の嵌合部５９ａが、原稿テーブル２の嵌合孔５４に嵌合して、原稿テーブル２を保持するようになっている。
【００４５】
このように、原稿テーブル２を複数の開き角度に段階的に保持するようにした事によって、自動原稿搬送装置１が、パソコンラックや、部屋の隅といった場所に置いたときに、上方に障害物があるため、開き角度が略９０度の回動位置（図５に示す回動位置）まで原稿テーブル２が回動できないような事態が発生しても、開き角度が略４５度の回動位置に保持する事ができ、原稿テーブル２の回動範囲に余裕がない場合であっても、充分に対応する事ができる。
【００４６】
また、上述の実施の形態では、原稿テーブル２に嵌合孔５１、５３を設け、支持部材４１に嵌合ロッド５９を設けたが、これに代えて、原稿テーブル２に嵌合ロッド５９を設け、支持部材４１に嵌合孔５１、５３を設けるようにしても良い。この場合であっても、上述の実施の形態と同様な作用効果を奏する。
【図面の簡単な説明】
【００４７】
【図１】本発明の実施の形態に係る自動原稿搬送装置を概略的に示す構成図である。
【図２】本実施の形態に係る原稿テーブルユニットを示す斜視図である。
【図３】回動位置にある原稿テーブルユニットを示す斜視図である。
【図４】図２の原稿テーブルを示す斜視図である。
【図５】図２の原稿テーブルに設けられた支え部を説明するための斜視図である。
【図６】本実施の形態に係る嵌合ロッドを拡大して示す斜視図である。
【図７】本実施の形態に係る自動原稿搬送装置のジャム処理機構を概略的に示す構成図である。
【図８】図７のジャム処理機構を駆動させるためのつまみを拡大して示す図である。
【図９】変形例に係る原稿テーブルを示す側面図である。
【符号の説明】
【００４８】
１                自動原稿搬送装置
２                原稿テーブル（原稿載置台）
９                読取部（読取位置）
１５ａ            排紙テーブル（排紙台）
３０              分離給送部
４１              支持部材
４５ｄ            角部（支え部）
５１、５３、５４  嵌合孔
５９              嵌合ロッド（嵌合部材）
６５              ジャム処理機構（送出部）
７０              保持部
７５              つまみ
７５ａ            突起
Ｐ                原稿
【図１】
2008195511.tif 000003
【図２】
2008195511.tif 000004
【図３】
2008195511.tif 000005
【図４】
2008195511.tif 000006
【図５】
2008195511.tif 000007
【図６】
2008195511.tif 000008
【図７】
2008195511.tif 000009
【図８】
2008195511.tif 000010
【図９】
2008195511.tif 000011